(57)【要約】  【課題】受信するサービスにとって最適なパラメータでＣＭを検出し、ＣＭ検出結果によってコンテンツの区切りを正確に検出する。  【解決手段】チャンネルＮを受信している状態において、ユーザの操作によって、パターン選択メニューが指示される（Ｓ１）。表示装置にパターン選択メニューが表示される（Ｓ２）。Ｓ３において、ユーザは、入力装置を操作して所望のパターンを選択する。受信するサービスに最適なパターンが選択される。Ｓ３において、パターンＡが選択されると、パターンＡがチャンネルＮに対して適用される（Ｓ４）。パターンＢが選択されると、パターンＢがチャンネルＮに対して適用される（Ｓ５）。パターンＣが選択されると、パターンＣがチャンネルＮに対して適用される（Ｓ６）。選択されたパターンとサービスとの対応関係がデータベースに登録される。【選択図】図３
2010272155.tif 000002
【特許請求の範囲】
【請求項１】
入力装置の操作によって、コンテンツを受信するサービスに対して区切り検出方法のパラメータを設定するパラメータ設定手段と、
上記設定されたパラメータによって受信したコンテンツの区切りを検出する区切り検出手段と
を備えた情報処理装置。
【請求項２】
コンテンツを受信するサービスを特定するサービス判定手段と、
上記サービス特定手段によって特定されたサービスに対して区切り検出方法のパラメータを設定するパラメータ設定手段と、
上記設定されたパラメータによって受信したコンテンツの区切りを検出する区切り検出手段と
を備えた情報処理装置。
【請求項３】
上記区切り検出手段によって、受信したコンテンツ中のコマーシャルメッセージを検出し、検出したコマーシャルメッセージによって上記コンテンツの区切りを検出する請求項１または２記載の情報処理装置。
【請求項４】
上記区切り検出手段によって、受信したコンテンツ中の字幕を検出し、検出した字幕によって上記コンテンツの区切りを検出する請求項１または２記載の情報処理装置。
【請求項５】
受信したコンテンツと、検出された区切りとを記録媒体に記録する請求項１または２記載の情報処理装置。
【請求項６】
上記サービスが複数のチャンネル中の受信チャンネルである請求項１または２記載の情報処理装置。
【請求項７】
入力装置の操作によって、コンテンツを受信するサービスに対して区切り検出方法のパラメータを設定するパラメータ設定ステップと、
上記設定されたパラメータによって受信したコンテンツの区切りを検出する区切り検出ステップと
を備えた情報処理方法。
【請求項８】
コンテンツを受信するサービスを特定するサービス判定ステップと、
上記サービス特定ステップによって特定されたサービスに対して区切り検出方法のパラメータを設定するパラメータ設定ステップと、
上記設定されたパラメータによって受信したコンテンツの区切りを検出する区切り検出ステップと
を備えた情報処理方法。
【請求項９】
上記サービスが複数のチャンネル中の受信チャンネルである請求項７または８記載の情報処理方法。
【発明の詳細な説明】
【技術分野】
【０００１】
この発明は、例えばデジタルテレビジョン放送を受信し、受信した番組のコンテンツを記録するのに適用される情報処理装置および情報処理方法に関する。
【背景技術】
【０００２】
デジタルテレビジョン放送の受信装置と接続され、ハードディスクなどの記録媒体に受信した番組のコンテンツ（映像情報および／またはオーディオ情報）を記録する情報処理装置が知られている。従来の情報処理装置は、受信された番組の録画中に、画面と音声の変化を捉えて自動的に番組をチャプターによって区切る機能を有している。チャプターの区切りを示す情報がチャプターマークと称される。チャプターマークは、コンテンツと同様に、記録媒体上に記録される。
【０００３】
チャプターマークは、シーン検出アルゴリズムにより生成される。シーン検出アルゴリズムは、コマーシャル（以下、ＣＭ(Commercial message)と称する）の検出、無音状態のステレオ音声の検出、音楽と会話との境などの音の切り換わりや、場面変化が大きい映像の切り換わりを検出する。チャプターの区切りは、例えば番組本編とＣＭとの区切り、番組本編内の番組宣伝の区間の開始点および終了点、番組オープニングや番組エンディングの区間の開始点や終了点等である。映像の変化を表現する場合、最も短い時間の映像変化（場面の切り換わり）がカットと称され、複数のカットの集合がシーンと称され、１または複数のシーンの集合がチャプターと称される。実際の装置では、作成できるチャプターの個数が制限されているのが普通である。本明細書では、チャプターの区切りおよびシーンの区切りを総称して区切りと称する。
【０００４】
ユーザは、自動的に設定されたチャプタを選択することによって好みのチャプターだけを再生させることができる。ハードディスクを記録媒体として使用する場合には、番組の録画を続けながら、録画終了を待たずに録画済み部分を再生することができる。このような再生方法は、追いかけ再生と称される。追いかけ再生時でも、チャプターマークを利用して好みのチャプターを再生できることが望ましい。追いかけ再生を実現するためには、記録中のチャプター付与の機能が必要とされる。
【０００５】
特許文献１には、マルチメディアデータの映像に着目し、場面の切り替わり時刻を記憶し、過去数回の場面の切り替わりの中で、その間隔が１５秒の倍数であった場合には、その時間区間はコマーシャルであったと判定することが記載されている。場面の変わり目（カット）が１５秒、３０秒、１分（１５秒の倍数）であることは、ＣＭと判定する。
【先行技術文献】
【特許文献】
【０００６】
【特許文献１】特開２００４−２６０８４７号公報
【発明の概要】
【発明が解決しようとする課題】
【０００７】
ヨーロッパでは、一つの放送衛星例えばＡｓｔｒａ１Ｇから１０００にも及ぶ多数のサービスを受信することが可能である。放送局も自国（例えばドイツ）に加えて他国（スペイン、イタリア、フランス等のヨーロッパの放送、アフリカ、中東、南米）の放送を視聴することが可能である。このように、多数の国からの多種類の放送を受信可能な場合では、放送の送出元の国や、放送局の種別（国営または民営）によって、その特徴が大きく異なる。したがって、特許文献１に記載されているようなＣＭ検出方法を一律に適用すると、精度の高いチャプター検出ができない問題があった。
【０００８】
したがって、この発明の目的は、精度の高い区切り検出を行うことができる情報処理装置および情報処理方法を提供することにある。
【課題を解決するための手段】
【０００９】
上述の課題を解決するために、この発明は、入力装置の操作によって、コンテンツを受信するサービスに対して区切り検出方法のパラメータを設定するパラメータ設定手段と、
設定されたパラメータによって受信したコンテンツの区切りを検出する区切り検出手段と
を備えた情報処理装置である。
この発明は、コンテンツを受信するサービスを特定するサービス判定手段と、
サービス特定手段によって特定されたサービスに対して区切り検出方法のパラメータを設定するパラメータ設定手段と、
設定されたパラメータによって受信したコンテンツの区切りを検出する区切り検出手段と
を備えた情報処理装置である。
【００１０】
この発明は、入力装置の操作によって、コンテンツを受信するサービスに対して区切り検出方法のパラメータを設定するパラメータ設定ステップと、
設定されたパラメータによって受信したコンテンツの区切りを検出する区切り検出ステップと
を備えた情報処理方法である。
【００１１】
この発明は、コンテンツを受信するサービスを特定するサービス判定ステップと、
サービス特定ステップによって特定されたサービスに対して区切り検出方法のパラメータを設定するパラメータ設定ステップと、
設定されたパラメータによって受信したコンテンツの区切りを検出する区切り検出ステップと
を備えた情報処理方法である。
【発明の効果】
【００１２】
この発明によれば、受信するサービスに最適なパラメータでもって区切りを検出することができ、区切り検出の精度を向上することができる。
【図面の簡単な説明】
【００１３】
【図１】この発明の第１の実施の形態の情報処理装置の構成を示すブロック図である。
【図２】この発明の第１の実施の形態が適用されるデジタル衛星放送の説明に用いる略線図である。
【図３】この発明の第１の実施の形態が適用されるデジタル衛星放送の説明に用いる略線図である。
【図４】ＣＭの挿入形態の複数の例を示す略線図である。
【図５】字幕、映像パターン、音声パターンのシーン検出における利用方法と、地域・サービスによる相違とを説明するための表である。
【図６】この発明の第１の実施の形態の説明に用いるフローチャートである。
【図７】この発明の第１の実施の形態におけるユーザインターフェース画面の一例を示す略線図である。
【図８】この発明の第１の実施の形態の説明に用いるフローチャートである。
【発明を実施するための形態】
【００１４】
以下、この発明の実施の形態について説明する。なお、説明は、以下の順序で行う。
＜１．第１の実施の形態＞
＜２．第２の実施の形態＞
＜３．変形例＞
なお、以下に説明する実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１５】
＜１．第１の実施の形態＞
「情報処理装置の一例」
情報処理装置の一例として、デジタル放送を受信し、受信した番組を記録媒体例えばハードディスクに記録し、ハードディスクから番組を再生できる録画再生装置を想定する。録画再生装置は、ＭＰＥＧ（Moving Picture Experts Group）−２方式のトランスポートストリームに伝送路符号化を施してなるデジタル放送信号を受信し、受信したデジタル放送信号から所望の番組を記録媒体に録画する。そして、録画再生装置は、ＭＰＥＧ−２方式で記録媒体に録画されている番組から、所望の番組を再生するものである。なお、この例では、ビデオ信号およびオーディオ信号の圧縮符号化方式として、ＭＰＥＧ−２方式を用いているが、圧縮符号化方式は、特にＭＰＥＧ−２方式に限定されるものではない。
【００１６】
図１は、第１の実施形態による情報処理装置としての記録再生装置のハードウエア構成例を示すブロックである。図１において、システムコントローラ１１は、例えばＣＰＵ（Central Processing Unit ）などにより構成されるマイクロコンピュータである。システムコントローラ１１に対してＲＯＭ（Read Only Memory）１４、ＲＡＭ（Random Access
Memory）１５およびデータベース１８が接続されている。データベース１８は、不揮発性メモリに記憶されている。システムコントローラ１１は、ＲＯＭ１４に記憶されているプログラムを実行することにより、記録再生装置の各部を統括的に制御する。データベース１８には、後述するように、チャプター付与を正確に行うのに使用されるデータが記憶されている。
【００１７】
このシステムコントローラ１１には、リモートコマンダ１２、または操作ボタン等の入力装置を通じて、ユーザの操作入力情報がユーザ入力インターフェース１３を通じて供給される。システムコントローラ１１は、入力された操作入力情報を判別し、当該操作入力情報に応じた処理を実行する。
【００１８】
システムコントローラ１１から延長されたバス１９に対して、チューナ２、受信処理部３、デマルチプレクサ（ＤＥＭＵＸ）４、ビデオデコーダ５、オーディオデコーダ６、特徴量検出部７および提示処理回路８からなる信号処理部が接続されている。信号処理部の各要素は、システムコントローラ１１からの制御信号によって制御されると共に、一部の要素とシステムコントローラ１１との間でコンテンツデータが入出力される。
【００１９】
図示しないアンテナの出力が入力端子１からチューナ２に対して供給される。チューナ２の出力信号が受信処理部３に供給される。チューナ２は、サービス（チャンネル）の選局、検波を行う。受信処理部３は、チューナ２から供給される信号を復調し、ＭＰＥＧ−２方式のトランスポートストリーム（以下、単にストリームと称する）を復号し、復号されたストリームがスクランブルが施されている場合に、スクランブルの解除を行う。
【００２０】
受信処理部３の出力信号がデマルチプレクサ４に供給される。デマルチプレクサ４は、入力ストリームから、ビデオパケット、オーディオパケットを分離する。さらに、デマルチプレクサ４は、ストリームからＥＰＧ（Electorical Program Guide)データ、字幕データ等のデータを分離する。分離されたデータがバス１９を介してシステムコントローラ１１に供給される。
【００２１】
デマルチプレクサ４は、パケットのヘッダ部に記述されているパケット識別子（ＰＩＤ）に基づいて、所望の番組のビデオパケット、オーディオパケット、データパケット、ＰＳＩ（Program Specific Information）およびＳＩ（Service Information ）のパケットを分離する。ＳＩでは、番組のチャンネル、タイトル、開始日時、放送継続時間、詳細内容、進行状況、ジャンル、シリーズに関する情報等、様々な情報が伝送される。ＳＩを読み取ることによってＥＰＧデータが取得される。
【００２２】
デマルチプレクサ４からのビデオパケットがビデオデコーダ５において復号され、ビデオデータが得られる。デマルチプレクサ４からのオーディオパケットがオーディオデコーダ６において復号され、オーディオデータが得られる。ビデオデータおよびオーディオデータが特徴量検出部７に供給される。
【００２３】
特徴量検出部７において、ＣＭ検出がなされる。すなわち、番組本編とＣＭとの区切りが検出される。さらに、複数個のＣＭが連続する場合、無音区間の検出、黒レベル区間の検出などによって、それぞれのＣＭの開始点、終了点が検出される。さらに、ＣＭ区間の時間長は１５秒、３０秒、４５秒、６０秒などのように、１５秒の倍数となっているので、検出された無音区間や黒レベル区間の時間長さが１５秒の倍数となっているかどうかもＣＭ区間の検出に用いられる。ＣＭ検出のためのパラメータは、システムコントローラ１１によって、入力装置からの入力指示にしたがって、受信し、記録するサービスに対応したものに設定される。ＣＭの検出のために字幕データも使用される。ＣＭ以外の特徴量として、シーンチェンジの検出、人物の検出、肌色検出、トーク検出、音楽検出、盛り上がり検出などを使用しても良い。
【００２４】
提示処理回路８は、特徴量検出部７を通ったビデオ信号に、各処理の実行時に必要に応じてユーザに提示する提示画面、例えばメニュー画面、番組表、再生動作の際に表示される録画済みの番組リスト等を付加する。提示処理回路８で処理されたビデオ信号は、録画再生装置に供給されて記録媒体上に記録される。録画再生装置により再生されたビデオ信号が表示装置９に供給され、ビデオ信号による映像が表示される。
【００２５】
一方、デマルチプレクサ４で分離されたオーディオパケットは、オーディオデコーダ６に供給される。オーディオデコーダ６において、デマルチプレクサ４から供給されるオーディオパケットからオーディオ信号が復号される。オーディオデコーダ６で復号されたオーディオ信号は、録画再生装置に供給されて記録媒体上に記録される。録画再生装置により再生されたオーディオ信号は、図示しないスピーカ等の音声出力装置に供給され、オーディオ信号による音声が再生される。
【００２６】
さらに、システムコントローラ１１には、記録再生部として、ハードディスク１６およびＤＶＤ（Digital Versatile Disc）ドライブ１７がバスを通じて接続されている。記録再生部に対してシステムコントローラ１１を経由してコンテンツデータが記録される。記録再生部にて再生されたコンテンツデータがシステムコントローラ１１および提示処理回路８を介して表示装置９に供給され、表示装置９に表示される。例えば、ハードディスク１６にストリームを録画する場合には、受信処理部３からシステムコントローラ１１を介してハードディスク１６にストリームが供給され、ハードディスク１６に録画コンテンツとしてストリームが記録される。
【００２７】
ＤＶＤにストリームを記録する場合には、受信処理部３からシステムコントローラ１１を介してＤＶＤドライブ１７にストリームが供給され、ＤＶＤに録画コンテンツとしてストリームが記録される。
【００２８】
再生動作時には、記録部の記録媒体に録画コンテンツとして記録されているストリームが読み出され、読み出されたストリームがシステムコントローラ１１を介してデマルチプレクサ４に供給される。例えば、ハードディスク１６に記録されているストリームを再生する場合には、ハードディスク１６からストリームが読み出され、読み出されたストリームがシステムコントローラ１１を介してデマルチプレクサ６に供給される。また、ＤＶＤに記録されているストリームを再生する場合には、ＤＶＤドライブ１８によってＤＶＤからストリームが読み出され、読み出されたストリームがコントローラ１４を介してデマルチプレクサ６に供給される。
【００２９】
これら記録部を構成するハードディスク１６およびＤＶＤドライブ１７は、それぞれシステムコントローラ１１から供給される制御信号に基づき制御される。なお、この例では、ハードディスク１６とＤＶＤドライブ１７とで記録部を構成しているが、記録部を構成する記録媒体の種類および数は、ストリームの録画／再生に適するのであれば、特に限定するものではない。例えば、ＤＶＤドライブ１７は、Ｂｌｕ−ｒａｙ  Ｄｉｓｃ（登録商標）に録画／再生するためのドライブであってもよい。
【００３０】
デマルチプレクサ４で抽出されたビデオデータおよびオーディオデータ以外のデータがシステムコントローラ１１を介してハードディスク１６に供給され、ハードディスク１６に記録される。例えばＥＰＧデータが番組情報としてハードディスク１６に記録される。番組情報は、番組毎に関連付けられた番組のタイトル、ジャンル、チャンネル、放送開始日時および放送終了日時、詳細内容、シリーズに関する情報等からなる番組に関する情報である。ハードディスク１６に記録されている録画コンテンツは、対応する番組の番組情報と例えばファイル名によって関連付けられて記録される。番組情報は、録画コンテンツの管理、番組表の作成、後述する予約録画機能および再生機能等において使用される。
【００３１】
さらに、デマルチプレクサ４によって分離された字幕データがシステムコントローラ１１に供給される。テレビジョン放送例えばデジタル放送において、字幕サービスが標準のサービスとして用意されている場合がある。字幕と同様に、映像に文字、図形を重ねて表示するものとして文字スーパーがある。デジタル放送においては、ドラマのセリフ等、番組と同期して表示されるものを「字幕」と呼び、番組と直接関係なく放送されるものを「文字スーパー」と呼んでいる。
【００３２】
さらに、字幕、文字スーパーを伝送する方式として放送局が文字を挿入した映像を送信するオープンキャプション(open caption)方式と、放送局が映像と文字を別々に伝送して受信側でこれらを合成するクローズドキャプション(closed caption)方式とがある。クローズドキャプション方式の字幕、文字スーパーは、デマルチプレクサ４において抽出することができる。オープンキャプション方式の字幕、文字スーパーは、特徴量検出部７において検出することができる。
【００３３】
デジタル放送の所望のサービスを受信するために、ユーザは、リモートコマンダ１２を用いて、あるいは、操作ボタンを通じて選局入力操作をする。その操作情報がシステムコントローラ１１に供給される。システムコントローラ１１は、ユーザの選局操作に応じた放送チャンネルを選択するようにするための選局制御情報をチューナ２に供給する。この選局の際、システムコントローラ１１は、表示装置９に選局中の放送チャンネルの表示を行なうので、ユーザは、この表示装置９の表示を見ながら、選局操作をする。
【００３４】
チューナ２および受信処理部３は、この選局制御情報を受けて、アンテナで受信したテレビ放送電波から、ユーザが選局した放送チャンネルの放送番組を選択抽出する。当該選択抽出した放送番組の映像信号および音声信号がビデオデコーダ５およびオーディオデコーダ６によってデコードされる。得られた番組の映像信号およびオーディオ信号が表示装置９およびスピーカによって再生される。さらに、番組のコンテンツデータが例えばハードディスク１６に記録される。
【００３５】
図１の記録再生装置において、特徴量検出部９で検出された特徴量がシステムコントローラ１１に供給され、システムコントローラ１１は、特徴量に基づいてシーンの区切りを検出する。番組本編内の番組宣伝の区間の開始点および終了点、番組オープニングや番組エンディングの区間の開始点や終了点、番組本編中の場面が大きく変化する点、複数個の連続するＣＭの開始点、終了点などがシーンの区切りとして検出される。シーンの区切りの検出データは、例えば時刻情報（タイムスタンプ）で表されている。さらに、受信した放送番組の番組情報も特徴量として検出され、シーンの変化点の検出に利用しても良い。
【００３６】
検出されたシーンの区切りのデータがＲＡＭ１５に保持される。システムコントローラ１１は、シーンの区切りのデータを使用してチャプターの区切りを検出し、チャプターマークを生成する。生成されたチャプターマークは、システムコントローラ１１によって、データベース１８に記録される。データベース１８には、記録する放送番組の映像データおよび音声データと対応付けられてチャプターマークが記録される。この発明では、以下に説明するように、字幕およびＣＭを利用してシーンの区切りを検出する場合の問題点を解決するものであり、ＣＭ、字幕以外の特徴量を使用してシーンの区切りを検出する方法についての説明は、省略する。
【００３７】
「デジタル放送の一例」
この発明の一実施の形態が受信するデジタル放送の一例について説明する。図２に示すように、一実施の形態では、ヨーロッパにおける衛星デジタル放送を受信するようになされている。ヨーロッパでは、団体ＤＶＢ(Digital Video Broadcasting)によって、衛星、地上、ケーブルテレビの各メディアに関して開発がなされ、ＤＶＢ仕様が策定されている。デジタル衛星放送の場合、放送衛星２２の向きに受信アンテナ２１を設置することによって、受信機２３によってデジタル衛星放送を受信できる。
【００３８】
放送局としては、自国の放送局２４以外に他国の放送局２５、２６、・・・等からの放送を受信することが可能である。一例として、ドイツにおいて主要な放送衛星からの放送を受信するように、受信アンテナ２１等を設置すると、スペイン、イタリア、フランス等のヨーロッパの放送のみならず、中東、南米の放送を受信することが可能である。受信可能なチャンネル数も１０００個と非常に多い。
【００３９】
図３の階層構造に示すように、ヨーロッパにおけるデジタル放送は、最上位層（ネットワーク）として、衛星３１、ケーブル３２、地上局３３が想定されている。衛星３１の下位層として複数のトランスポンダ３４1，３４2，・・・，３４nが存在する。トランスポ
ンダ３４1〜３４nの下位層として複数のサービス３５1，３５2，・・・，３５mが存在す
る。一つのトランスポンダには、１以上のサービスが多重化されている。一つのサービスには、コンポーネントとしてビデオデータ３６、オーディオデータ３７ａ，３７ｂ、データ３８が含まれる。
【００４０】
ケーブル３２の下位層として複数のチャンネル４１1，４１2，・・・，４１pが存在す
る。チャンネル４１1〜４１pの下位層として複数のサービス４２1，４２2，・・・，４２qが存在する。一つのサービスには、図示しないが、コンポーネントがそれぞれ存在する
。地上局３３の下位層として複数のチャンネル４３1，４３2，・・・，４３rが存在する
。チャンネル４３1〜４３rの下位層として複数のサービス４４1，４４2，・・・，４４s
が存在する。一つのサービスには、図示しないが、コンポーネントがそれぞれ存在する。
【００４１】
かかるデジタル放送において、例えばデジタル衛星放送において受信しているサービスは、各層のＩＤに基づいて特定される。ネットワークを識別するＩＤがoriginalnetworkidである。トランスポートストリームを識別するＩＤがtransportstreamidである。さらに、サービスを識別するＩＤがserviceidである。所望の放送局を選択する操作は、これら
のＩＤを特定のものに設定する操作である。
【００４２】
複数の国の放送の間では、ＣＭの挿入の仕方が異なっている。図４Ａは、比較的短い周期でＣＭを本編に挿入する放送である。したがって、同一の本編Ｘに対して２回ＣＭが挿入されている。図４Ｂは、本編Ｘと本編Ｙとの切り換わりのタイミングで比較的長い時間のＣＭが挿入される例である。図４Ｂの形態は、一部の公共放送で採用されている。さらに、公共放送では、図４Ｃに示すように、ＣＭが全く挿入されず、番組のみが切り換わる。
【００４３】
このように、ＣＭの挿入の方法として、種々のパターンが存在している状況の下では、１種類のＣＭ検出方法を適用した場合、ＣＭ検出が誤るという問題が生じる。例えばＣＭの期間が１５秒の倍数であり、最大で２分と規定していると、図４Ｂに示すように、２分を超える長さのＣＭの検出を誤る問題が生じる。その結果、本編とＣＭとの区切りにチャプターマークが付与される例では、チャプター検出が誤ったものとなる。さらに、図４Ｃに示す例の場合では、ＣＭ検出がなされず、本編ＸおよびＹの区切りにチャプターマークを付加することができない。
【００４４】
ＣＭを検出するために、字幕の情報を利用することが考えられている。例えばオランダの番組では、外国映画の場合、音声に関して原語で、オランダ語の字幕が付与される。一方、ＣＭの部分は、オランダ語であるため字幕が付与されない。したがって、字幕の有無でもって、高い精度でもってＣＭを検出できる。ドイツの番組では、外国映画は、殆ど吹き替えであるため、字幕が付与されない。この場合では、字幕の有無をＣＭ検出に使うことが不可能である。このように、国、地域によってＣＭの挿入方法が異なる場合、チャプター検出を行うパターン（パラメータ）を切り換えないと、ＣＭ検出の精度を高くすることができない。
【００４５】
「シーン検出における字幕、映像パターンおよび音声パターンの利用」
この発明は、上述したように、地域、サービスによってＣＭの挿入の仕方が相違する場合でも、ＣＭ検出を正しく行うことを可能とするものである。図５は、シーン検出における字幕、映像パターン、音声パターンの利用方法と、地域・サービスによる相違を一覧表にまとめたものである。シーン検出の結果を利用してチャプターが付与される。
【００４６】
シーン検出において、字幕を利用することができる。すなわち、「外国語翻訳字幕は、ＣＭ中に存在しない」ことを利用して本編とＣＭとが判別できる。オランダでは、外国語の場合には、オランダ語の字幕が付与される。ドイツでは、吹き替えでドイツ語の音声とされ、字幕が付与されない。
【００４７】
シーン検出において、映像パターンを利用することができる。すなわち、映像パターンに基づいてカットを検出してシーンが分析される場合、一定時間のカットが連続する場合がＣＭと判定される。公共放送では、ＣＭ無しか、または本編外に比較的長時間のＣＭが挿入される。民間放送の場合では、同一番組中に短時間のＣＭが存在する。
【００４８】
シーン検出において、音声パターンを利用することができる。すなわち、音声パターンに基づいてカットを検出してシーンが分析される場合、一定時間のカットが連続する場合をＣＭと判定する。公共放送では、ＣＭ無しか、または本編外に比較的長時間のＣＭが層に挿入される。民間放送の場合では、同一番組中に短時間のＣＭが存在する。
【００４９】
「シーン検出方法」
ユーザは、リモートコントローラ１２を操作することによって、受信したサービスに適したシーン検出のパターンを設定する。図６は、パターン設定時の処理の流れを示す。最初に、あるサービス（チャンネルＮ）を受信している状態において、ユーザの操作によって、パターン選択メニューが指示される（ステップＳ１）。表示装置９には、図７に示すようなパターン選択メニュー５１が表示される（ステップＳ２）。
【００５０】
パターン選択メニュー５１において、現在選局しているサービス（選局ポジション）の表示５２と、選択できるパターンの表示５３とが表示される。図７の例では、３種類のパターンＡ，Ｂ，Ｃがそれぞれ選択可能とされている。ステップＳ３において、ユーザは、リモートコントローラ１２等の入力装置を操作して所望のパターンを選択する。例えばカーソル５４を所望のパターンの位置に合わせて決定キーを操作することによって、所望のパターンを設定できる。パターンの選択は、ユーザが知っている受信しているサービスに関する情報（例えば送出元の国、公共放送か否か等の情報）に基づいてなされる。または、例えば取扱説明書に受信するサービスとパターンとの対応表が記載され、対応表にしたがってユーザが選択を行うようにしても良い。
【００５１】
パターンＡ，Ｂ，Ｃは、上述したようなシーン検出の方法に対応している。例えばパターンＡは、図４Ａに示すような比較的短い周期でＣＭが本編に挿入される放送からＣＭを検出するのに最適なパラメータである。パターンＢは、図４Ｂに示すような本編Ｘと本編Ｙとの切り換わりのタイミングで比較的長い時間のＣＭが挿入される放送からＣＭを検出するのに最適なパラメータである。パターンＣは、図４Ｃに示すようなＣＭが全く挿入されず、番組のみが切り換わる放送（公共放送）からＣＭを検出するのに最適なパラメータである。
【００５２】
これらのシーン検出方法のパターンは、ＲＯＭ１４またはデータベース１８に格納されたプログラムによって実行される。システムコントローラ１１は、特徴量検出部７において得られた検出結果に対して、選択されたパターン（パラメータ）のシーン検出方法を適用する。
【００５３】
ステップＳ３において、パターンＡが選択されると、パターンＡがチャンネル（サービス）Ｎに対して適用される（ステップＳ４）。ステップＳ３において、パターンＢが選択されると、パターンＢがチャンネル（サービス）Ｎに対して適用される（ステップＳ５）。ステップＳ３において、パターンＣが選択されると、パターンＣがチャンネル（サービス）Ｎに対して適用される（ステップＳ６）。選択されたパターンとサービスとの対応関係がデータベース１８に登録される。登録後は、チャンネルＮを受信すると、選択されたパターンがチャンネルＮに対して自動的に適用される。勿論、パターン選択メニューを表示して上述したのと同様に、パターンを再度選択するようにしても良い。
【００５４】
＜第２の実施の形態＞
「シーン検出方法」
この発明の第２の実施の形態は、上述したこの発明の第１の実施の形態とシーン検出方法が相違する。その他の構成および動作は、第１の実施の形態と同様のものである。すなわち、図１に示す記録再生装置の構成、図２、図３に示すデジタル放送等は、第２の実施の形態に対しても適用される。したがって、以下、第２の実施の形態におけるシーン検出方法について説明し、その他の説明を省略する。
【００５５】
データベース１８上に、受信するサービスと適用するシーン検出方法のパラメータとの対応関係が予め記憶されている。工場において、データベース１８が作成される。或いは、ネットワーク上のサーバからサービスとパラメータとの対応関係の表がダウンロードされる。
【００５６】
図８におけるステップＳ１１において、システムコントローラ１１がデマルチプレクサ４により分離されたデータから受信サービス（受信チャンネル）の３個のＩＤが取得される。上述したように、originalnetworkidと、transportstreamidと、serviceidとが取得
される。システムコントローラ１１が３個のＩＤによって、受信しているサービスを特定する。ステップＳ１２において、取得した３個のＩＤに基づいてデータベース１８が参照される。データベース１８によって受信しているサービスに対するパラメータが分かる。Ｓ１３において、データベース１８によって分かったチャプター付与のパターンが設定される。
【００５７】
この発明の第２の実施の形態は、データベース１８が予め作成されていれば、あるサービスを受信した場合に、自動的にチャプター付与のパターン（パラメータ）を最適なものに設定することができる。
【００５８】
＜変形例＞
この発明は、上述の実施の形態に限定されるものではなく、この発明の技術的思想に基づく各種の変形が可能である。例えば上述した説明は、コンテンツの区切りとしてチャプターを付与するのにこの発明を適用した例であるが、この発明は、ＣＭ等のシーン検出に対しても同様に検出することができる。さらに、この発明は、デジタル衛星放送以外にケーブルテレビジョン、ＩＰＴＶサービスを受信する場合に対してもこの発明を適用することができる。
【符号の説明】
【００５９】
４・・・・デマルチプレクサ
７・・・・特徴量検出部
９・・・・表示装置
１１・・・・システムコントローラ
１２・・・・リモートコントローラ
１８・・・・データベース
２１・・・・受信アンテナ
２２・・・・放送衛星
【図１】
2010272155.tif 000003
【図２】
2010272155.tif 000004
【図３】
2010272155.tif 000005
【図４】
2010272155.tif 000006
【図５】
2010272155.tif 000007
【図６】
2010272155.tif 000008
【図７】
2010272155.tif 000009
【図８】
2010272155.tif 000010